Podtech/llm-jp-corpus-v4-ja_patent huggingface dataset:
(57)【要約】【課題】  本発明は茶そのものを食べやすくし茶の効能をできるだけ多く取り入れ健康維持に役立せるものである。  また、インフルエンザ・風邪の予防に茶を活用しようとするものである。【解決手段】  茶を粉末にして納豆のネバネバ（ポリグルタミン酸・タンパク質・ビタミン・他）で固め固定することで、その成分と固まっているので食べ易く、噛む必要があるので、だ液と茶の成分により口内の清爽感が生まれる。これらのことにより茶が生活に取り入れやすくなる。  薄くガーゼと固めた茶は．マスクの内側に用いることで、抗インフルエンザ・風邪の茶の効能でマスクの予防効果を高める。【特許請求の範囲】
【請求項１】
粉末にした茶を納豆のネバネバ（ポリグルタミン酸・タンパク質・ビタミン・他）で固め固定する。必要に応じガーゼ・紙を用いて固定を強化する。
【請求項２】
粉末にした食材を納豆のネバネバ（ポリグルタミン酸・タンパク質・ビタミン・他）で固め固定する。
【発明の詳細な説明】
【技術分野】
【０００１】  本発明は茶の効能をできるだけ多く利用するために茶を粉末にして食べやすく、また、インフルエンザ・風邪の予防にマスクと共に用いるように納豆のネバネバ（ポリグルタミン酸・タンパク質・ビタミン・他）で固める方法と固めた茶に関するものである。
【背景技術】
【０００２】  茶の効能を利用しているものは、昔から喫茶が一般的であり茶そのものを食べるものとしては茶をこまかくしてふりかけにしたり、小麦粉などに混ぜた食品がある．またインフルエンザ・風邪の予防に茶のうがいが奨励されている。【０００３】
【特許文献１】  特開２００３−３３４０１６  （Ｐ２００３−３３４０１６Ａ）
【発明の概要】
【発明が解決しようとする課題】
【０００４】  茶の効能をできるだけ多く取り入れ健康維持に役立せるかが目的課題である
茶の効能を得るのに喫茶だけではものたりないが、茶をそのまま食することは一般化されていないし．固くて苦くて食べ難い。インフルエンザ・風邪の予防に対して、まだ茶の効能がマスクに用いられ活用されていない。
【発明が解決しようとする手段】
【０００５】  茶をそのまま食べるには固くて苦くて食べ難いため、茶を粉末にすると軟くなるが、まだ苦くて口あたりが悪くて食べ難い。粉末にした茶を納豆のネバネバ（ポリグルタミン酸・タンパク質・ビタミン・他）で薄く海苔のように固めると噛みやすくなり、またネバネバの成分で苦みが和らぎ食べ易くなる。
【０００６】  薄くガーゼを用いて固めた茶はマスクと共に用い抗インフルエンザ・風邪の効能が活用できる。
【発明の効果】
【０００７】  固められた茶を噛むことで生じただ液と茶の成分で口内の清爽感を生みだし生活のなかに取り入れやすくなる。
薄く固めた茶はかさばらずマスクの内に入れられ予防効果を高める。
【図面の簡単な説明】
【０００８】
【図１】  固められた茶の平面図
【図２】  固められた茶の側面図
【図３】  ガーゼと組合せ固められた茶の側面図
【発明を実施するための形態】
【０００９】  以下本発明の実施の形態について説明する。
（イ）図１図２であらわされた固めた茶は食品として用いる。
（ロ）図１図３であらわされたガーゼと固めた茶はマスク内に入れ使用する。
【符号の説明】
【０００８】  １．納豆のネバネバ（ポリグルタミン酸・タンパク質・ビタミン・他）で固めた茶．
２．ガーゼ
【図１】
2011078403.tif 000002
【図２】
2011078403.tif 000003
【図３】
2011078403.tif 000004
(57)【要約】【課題】本発明は、水中又は陸上の油液を水と親和性を有せず、油類の吸油効率、効果を発揮し、さらに、悪臭の消臭に優れた油液吸着シート、油液吸着マット組成の製造を提供することを目的とする。【解決手段】本発明は、産業廃棄物の珪藻土粕、ゼオライト粕、廃ガラス発泡素材の多孔質に油液吸着させることにより油液が多孔質体に付着することで製造できるシート、マット組成物を提供する。農業廃棄物の米糠、大豆、籾殻、フスマ等からの多孔質に油液吸着させることにより油液が多孔質体に付着することで製造できるシート、マット組成物を提供する。【選択図】なし【特許請求の範囲】
【請求項１】
多孔質の珪藻土粕、ゼオライト粕、廃ガラス発泡素材等の産業廃棄物を熱可塑性樹脂のシート、マットに吸油組成成形物とした油液吸着材。
【請求項２】
多孔質の米糠、大豆殻、籾殻、フスマ等の農業廃棄物を熱可塑性樹脂のシート、マットに吸油組成成形物とした油液吸着材。
【請求項３】
前記熱可塑性樹脂は、不織布、ポリエステル、ポリプロレン、ポリエチレン等の一種類又は一種類以上を有する吸油シート、マットの組成物。
【請求項４】
請求項１，２，３の吸着材を一体成形物の形状固定フック、袋体スタイル、バラケ配施等において本発明趣旨を逸脱しない範囲の変更は、本発明に含まれる。
【発明の詳細な説明】
【技術分野】
【０００１】本発明は、河川、池、沼、海等における油の流出事故が生じている。油の回収方法として濾過技術で油分を吸着している。珪藻土、ゼオライト、ガラス発泡素材などの多孔質体を特徴とした天然素材の環境利用と産業利用がなされている。【０００２】上記の油液吸着シート、マットを用途に応じて環境利用の汎用に使用し、産業利用を提供する。
【背景技術】
【０００３】細孔構造を多く持つ多孔質体は吸着性が強い。【０００４】油液吸着素材をシート、マット状態に成形利用においては、吸着用材を上記細孔構造を持つ多孔質体が利用されている。
【発明の開示】
【発明が解決しようとする課題】
【０００５】油液流出事故などに用いられる吸着材は、化学製品である場合に使用前の在庫時や使用後の処理に経済上および環境上の難点がある。【０００６】市販されている油液吸着材を大量使用に活用する場合は、上記記載のような難点が生じ対策が必要である。【０００７】天然素材の廃棄物の多孔質珪藻土粕、ゼオライト粕、ガラス製品のガラス発泡材を用材基材に活用する。さらに、農業廃棄物の米糠、籾殻、大豆殻、フスマ、等に微細孔の多孔質を有していることから、素材の一種類、又は二種類以上を油液吸着シート、マットに含有使用、活用の効果が発揮される。環境に優しい、安心、安全、しかも、廃棄物の利活用なので、低原価で量産可能な油液吸着シート、油液吸着マットが提供できる。
【課題を解決するための手段】
【０００８】本発明は、上記目的を達成し、微細孔を有した多孔質体油液を含浸し、油液吸着シート、マット、袋状態に保持することで細孔構造部分に油液を付着させることにより多孔質体を基材とした油液吸着シート、吸着マットの製造が出来る。【０００９】吸着材となる本発明における浄化機能は表面積の大きさが塩素除去機能、除菌機能、消毒、消臭機能とその効果の活用を特徴とした。
【発明の効果】
【００１０】本発明は、廃棄物の珪藻土粕、ゼオライト粕、廃ガラスからのガラス発泡素材の多孔質と表面積の大きさの特徴を活用とした。油液をシート、マットに付着させる技術は高性能が発揮され、経済負担も少なく、しかも製造工程は特別な技術を要しないのが特徴。【００１１】本発明の吸着材は、農業廃棄物の米糠、大豆、籾殻、フスマ等の多孔質体に含浸させる油は廃油でありながら微細孔を組成している油類の保持能力，吸油率に優れた効果を発揮できることから、物理的な圧縮技術でもって、容易に油の回収を可能とし、用途の範囲は広く、環境浄化に取り組むことができる。【００１２】本発明の油液吸着材のシート、マットの内在材は、微細孔組成の多孔質体は、産業に伴う廃棄物並びに農業廃棄物を用いることから安定供給が可能であり、しかも安価である。【００１３】本発明の原料は天然素材の産業廃棄物や農業廃棄物を素材としていることから、有害物質は発生しない。【００１４】他に油液吸着シート、マットの組成物に米糠、大豆、籾殻等の繊維質の微細孔が油分を吸収、保持の機能がある。本発明の  製造技術は単純であり高度技術を要しない。しかも先進的な環境浄化とリサイクルに貢献する。
【発明を実施するための最良の形態】
【００１５】本発明品は、微細孔部を成形し汎用性のある油液吸着作用を有する。【００１６】油液吸着成形のシート、マットの素材は不織布、ポリエステル、ポリプロレン、ポリエチレン等の一種類又は一種類以上の構成は、耐候性、耐久性の向上作用を有し、吸着する用途の対応形態である。【００１７】多孔質体に油液を含浸させることの汎用性を可能とした油液吸着シート、マットの製造技術は、単純さと合理的な成形が特徴。【００１８】この実施例については多孔質体の細孔構造や表面化学特性の部分に付着とした特異性の吸着材であり、浄化装置に関する技術を特徴する。
【産業上の利用可能性】
【００１９】廃油吸着前の素材自体が交通事故や災害、工場での事故などから発生する油の流出事故や化学液体流出事故などの緊急時の油液吸着シート、マットとして利用できることから在庫自体が緊急用の備えとなる。【００２０】液体である油の常温固化が可能であるため運搬や工程、取扱に有用に活用できる。【００２１】機械のある工場や、車の整備場、ガソリンスタンドなど油の流出が常時起きる場所では常備することで環境に負荷を与えない。【００２２】環境の負荷を考慮した本発明は、鉱物系の油分吸着済みを燃料としての熱量への利用や、第二段階の炭化済み素材を炉の高温化への利用、第三に燃焼残渣を再度吸着材として汎用利用ができる。
(57)【要約】【課題】本発明は、飲料水、生活水を確保することを目的とし、海水淡水化を太陽熱蒸留抽出装置、製造に関し、一体構成による作業効率、安定供給、安価な海水、淡水化蒸留方法を提供する。【解決手段】本課題の太陽熱蒸留抽出は、海水淡水化の造水変換装置製造を通年効率よく受光でき、淡水生成を低コストに抑えた画期的構造は、本発明の海水淡水化蒸留システム開発による構造効率、コスト削減等の好ましい形成による一体構成装置及び製造方法。【選択図】なし【特許請求の範囲】
【請求項１】
太陽エネルギー熱変換の受熱板を設置し、蒸留装置のシステム設計を特徴とする太陽熱蒸留装置及び製造方法。
【請求項２】
上記の受熱板を波状の受光板に成形し、入射光度に適合を有する構成し、海水を吸水性能の発揮する素材からの毛細管現象効率を取り入れ、造水変換による生産を特徴とした太陽熱蒸留装置及び製造方法。
【請求項３】
受熱板に太陽電池を設け、反射板の傾斜可変の自在を特徴とした太陽熱蒸留装置及び製造方法。
【請求項４】
上記記載の装置及び製造方法において、固定、移動対応敷設設計とした太陽熱蒸留装置及び製造方法。
【請求項５】
太陽熱蒸留装置及び製造方法において請求項１から４を含み、本発明の趣旨構造を逸脱しない範囲の変形や変更は本発明に含まれる。
【発明の詳細な説明】
【技術分野】
【０００１】本発明は、海水を淡水化する装置及び製造方法を提供する。【０００２】本発明は、自然界に発生している海水を安価な装置及び製造方法を用いた淡水化に関する。【０００３】本発明は、自然界の海水を吸水素材による毛細管現象作用の蒸留抽出装置、製造に関する。
【背景技術】
【０００４】従来、非常時において、水道、電気等の機能停止状態において、生活水確保装置は、必要になる。造水変換装置製造は、現段階のコストは高値で推移しており近い将来の普及を鑑みると安値傾向は困難であり、本発明の安定供給で安価な製造プロセスのタイミングにきている。【０００５】上記背景には、風力、太陽光活用は、単位面性に対しエネルギー密度の低さから大型の発電面積が求められている。よって、価格が高値になり普及が困難になっている。【０００６】そのため、蒸留製造工程において、製造原価がキーワード結び付き価格と、技術が要求されている。【０００７】地下水汚染による健康障害回避のために淡水化装置が必要とされる。【０００８】背景技術は、世界中が温暖化現象によって、異常現象が発生している。地震による津波、地震災害時の飲料水、生活水の確保に困難をきたしている。
【発明の開示】
【発明が解決しようとする課題】
【０００９】上記の問題を鑑みて、海水を蒸留に変換造水を可能にする蒸留装置を提供し、本発明の海水を淡水化する効率を最大限可能とし、対策が通年において性能、効果が発揮できるシステムによる安価な装置、製造システムを特徴とする。【００１０】本発明は、通年均一稼動ができることを可能とし、非常時対応に効率を高めた技術の提供によって問題解決が図られる。【００１１】本発明は、太陽熱から海水を蒸留する小型太陽熱蒸留装置を提案し、作業は容易とし、安価に、海水を蒸留にして淡水を得ることを目的とした。
【課題を解決するための手段】
【００１２】本発明は、上記課題を達成するため、通年稼動ができる太陽エネルギーを熱変換し、海水淡水化蒸留の向上に寄与する一体型システムを特徴とする。【００１３】本発明は、太陽エネルギーを熱変換の受熱板によって熱効果から蒸留することで海水を蒸発し、塩分凝固の増大を可能とすることで課題を解決する。しかも、小型装置を製造し、海水淡水化変換を最大限発揮でき、非常時の対応装置の提供にある。
【発明の効果】
【００１４】本発明による海水淡水化変換装置は、海水から分別された塩分を取り除くことにより、目的とする淡水を得ることができる。製造工程を短縮可能とすることで作業効率が高められる。【００１５】このように一体構成の作業が容易であり、従来の単一、複雑をなす作業を効率、効果的に発揮される。【００１６】本発明の特徴は，上記の受熱板を太陽の入射光度の適合を有する波状成形と反射板の傾斜可変自在とした一体化構造システムであり、非常時における対策の重視を特徴とした。【００１７】本発明は、上記作業の安全性、作業効率の向上、量産の向上を図り、費用対効果の普及率と、経済的なシステム構築を特徴とする。
【発明を実施するための最良の形態】
【００１８】本発明の特徴及び利点は、一体構成による本実施形態に限定されるものではなく、要旨の逸脱しない範囲の変形や変更設計は本発明に含む。【００１９】上記実施形態については、装置の取り付け角度調整装置、移動移設を可能とする装置、効率、構造、ボルト、溶接固定等、一体化構造範囲の設計製造を述べている。【００２０】請求項１から４記載の発明では、敷設の特徴と製造方法。【００２１】請求項５記載の本発明の構成方法は、集合配置による効率、効果、量産効果等、作業が安全に効率よくでき、製造の短縮ができ経済的であることを特徴とする。
【産業上の利用可能性】
【００２２】本発明は、非常時において、例えば海難救命、災害時対策としての海水淡水化蒸留システムの設計と製造に関し、蒸留方法として構造の効率、コスト削減、簡易な構造で、好ましく用いることができ産業上に無駄がない。【００２３】本発明は、世界を視野に入れ、低緯度の太陽エネルギーの熱変換利用促進を図り、地球温暖化の防止、環境保全、安心、安全な自然エネルギー利活用を重視とした開発であり、その応用範囲は広い。
(57)【要約】【課題】バイオマス資源の有効活用から多孔質物質、バイオマス木質資源等の有効成分ｐＨ調整化合物含有物質成形は多方面の活用がある。製造法は高額な設備投資を押さえ、比較的簡単な装置を用い、大量生産することができ、有効留出液を多孔質物質、バイオマス木質ペレットに含有させることに諸効果のあることから産業開発における汎用性、用途の広いことを特徴とした。【解決手段】本発明は、上記諸課題を解決し、地域バイオマス資源の有効成分ｐＨ調整化合物含有物質によって得られる機能性物質の天然資源を活用することにより地域事業を育成し、さらに地域の産業開発となる。【選択図】なし【特許請求の範囲】
【請求項１】
有効成分をｐＨ調整化合物に含有とした組成物の製造を特徴とし、多孔質物質、バイオマス木質ペレット等に含有されていることを特徴とする。
【請求項２】
多孔質物質、バイオマス木質ペレット等に植物留出液の液状物質ｐＨ調整化合物の単一製造、複合製造から得た化学組成、機能性の各種バイオマス資源の活用変換技術を特徴とする。
【請求項３】
請求項２の有効成分を一種類、もしくは二種類以上を含有させて活用、効果が得られることを特徴とする。
【請求項４】
請求項１から請求項３の全体当たりの多孔質物質、バイオマス木質ペレット等の重量％の割合で含有反応させることの用途の範囲は広い。好ましいのは、用途の汎用性が広いことから、都度に即した重量％割合であっても乖離は想定内の成果を得ることを特徴とした。よって、有効成分本発明趣旨の逸脱しない範囲の変更は、本発明に含まれる。
【発明の詳細な説明】
【技術分野】
【０００１】本発明は、有効成分含有組成物の製造であり、多孔質物質、バイオマス木質ペレット等の製造に利用ができ、有効成分ｐＨ調整化合物含有組成物に関するものである。
【背景技術】
【０００２】バイオマス資源の処理においては、高温高圧処理、ガス化、微生物利用等において高度な技術開発が導入されている。しかし、効率面においては評価されるが、高額な設備とランニングコスト面においての経済、実用面では難点があり、費用対効果の研究の進展が期待される。
【発明の開示】
【発明が解決しようとする課題】
【０００３】前記、従来のバイオマス処理は、経済的、実用的な技術とは言い切れないままに用いられてきた。そこでのプロセスから得られる主生成物、副生成物の林産廃棄物、農産廃棄物など、バイオマスの資源処理を高額の容器、設備投資から製造されたｐＨ調整化合物質に有効成分を含有させて要する処理方法の見直しこそ原理に適している。【０００４】本発明は、このような実状に鑑みなされたものであり，従来の技術開発に即したｐＨ調整化合物質でもって課題解決し、その提供を目的とする。
【課題を解決するための手段】
【０００５】課題を解決するための技術は、地球温暖化対策の一環であるところの炭酸ガスの発生削減と廃棄物リサイクル促進の循環型社会の構築と推進戦略を図ったことによって合理的構成が得られ、この発明に到達した。
【発明の効果】
【０００６】以上のように、本発明技術は、有効成分にｐＨ調整化合物の含有組成物を製造可能とし、多孔質物質、廃棄物系バイオマスを木質ペレット等の有効活用は無駄なく発揮され、環境への影響を低減するのを目的とする。よって、地域資源の利用技術となり地域産業に貢献をする。【０００７】有効成分ｐＨ調整化合物含有多孔質物質、バイオマス木質ペレット等は、用途の汎用性に優れ、簡単で経済的にも技術的にもバイオマスエネルギーの変換技術といえる。【０００８】これらは安定、安全、しかも、経済性に優れた実用用材ができる。しかも、天然資源の活用から安定供給ができ、規模の自在設定ができることを特徴とする。
【発明を実施するための最良の形態】
【０００９】本発明は、有効成分にｐＨ調整化合物の含有組成物を製造し、多孔質物質、バイオマス資源等を有効に短時間で、効率よく、経済的に変換する技術として適している。
有効成分ｐＨ調整化合物含有多孔質物質、バイオマス木質ペレット等は、汎用性機能を有する物質含有を可能とする。【００１０】上記技術でもっての有効成分ｐＨ調整化合物含有留出液体物質の製造方法は容易に出来ることを特徴とした。
【産業上の利用可能性】
【００１１】本発明は、産業の汎用性、用途の拡大提供を目的とするものであり、有効成分ｐＨ調整化合物含有技術は、液状物質の留出液に関する機能性多孔質物質、バイオマス資源の有効成分への変換技術を提供するものであり、化学資源への変換技術、生物化学的変換との製造方法に比し、経済的に変換する技術、合理化ならびに作業能率に関する。
(57)【要約】【課題】  従来の酸化チタンの使い方では空気中に飛散している細菌やウイルス等を死滅させることは出来なかった。【解決手段】  珪藻土の特性を使って空気中に飛散している細菌やウイルス等を吸着させて透明な板等に酸化チタン等を練り込んだ珪藻土を薄く塗布して紫外線等がまんべんなく当たることにより触媒をして珪藻土の中に取り込んだ細菌やウイルス等を死滅させる。【選択図】図１
2011078957.tif 000002
【特許請求の範囲】
【請求項１】
透明や半透明のプラスチック、塩化ビニール，アクリル，ポリカ、和紙等に酸化チタン等を練り込んだ珪藻土を薄く塗布して太陽光や蛍光灯や紫外線ランプ等で紫外線を当てて触媒させて珪藻土の特性の吸着で取り込んだ細菌やウイルス等を死滅させる。
【請求項２】
珪藻土の中に細菌やウイルス等を死滅させる薬品を練りこんで紙等に塗布して珪藻土の特性の吸着作用で珪藻土の中に取り込んだ細菌やウイルス等を死滅させる。
【発明の詳細な説明】
【技術分野】
【０００１】  本発明は珪藻土の性質の吸着性を利用して細菌やウイルスを珪藻土に練り込んだ酸化チタン等によって殺菌させるものである。
【背景技術】
【０００２】  特に文献の知識は、ないです。
【発明の開示】
【発明が解決しようとする課題】
【０００３】  しかし、従来の酸化チタンの使い方では、空気中に飛散する細菌やウイルス等を吸着させることは出来なかった。
【課題を解決するための手段】
【０００４】  この課題を解決するための請求項１の発明は、珪藻土の中に酸化チタン等を練りこんで透明な物に薄く塗布して珪藻土の光を通す性質と調湿性、吸着性を利用して紫外線等で触媒して取り込んだ細菌やウイルス等を死滅させる。【０００５】  また、請求項２の発明は珪藻土の性質を利用して珪藻土の中に練り込んだ薬品等によって珪藻土の中に取り込んだ細菌やウイルス等を死滅させる。
【発明の効果】
【０００６】  本発明により透明な板等に酸化チタン等を練り込んだ珪藻土を薄く塗布した物を空気の通りを悪くならない用に並べる。たとえ重ねても紫外線等があたり触媒して細菌やウイルス等を死滅させる。また、表面積を増やすことで空気中に飛散している細菌やウイルス等をより多く珪藻土の中に取り込むことが可能となる。
【発明を実施するための最良の形態】
【０００７】  図１は透明な板等に酸化チタン等を練り込んだ珪藻土を薄く塗布した断面図です。【０００８】  図２は酸化チタン等を珪藻土に練り込んで薄く塗布した板等をアルミなどの枠に入れて空気を良く通す用に天井等に止めて紫外線を照射し細菌やウイルスを死滅させるものです。また  紫外線ランプや蛍光灯を同じケースの中に入れたりとか形状は特に決まりはないです。
【産業上の利用の可能性】
【０００９】  本発明に係る形状は工業的に量産することが可能であるため産業上の利用可能性を有する。
【図面の簡単な説明】
【００１０】
【図１】  光を通す透明又は半透明な板等に酸化チタン等を練り込んだ珪藻土を薄く塗布した断面図である。
【図２】  図１の珪藻土を薄く塗布した板等をアルミなどの枠に入れて通気を良くして尚且つ紫外線等を照射出来る様にしたものを天井に取り付けた場合である。
【符号の説明】
【００１１】  １    酸化チタン等を練り込んだ珪藻土を薄く塗布した塗膜
２    透明又は半透明な板、紙等
３    アルミや木や樹脂等の枠
４    紫外線を発生させるランプ等
５    枠を取り付ける時、通気のために隙間を作るためのパッキン
【図１】
2011078957.tif 000003
【図２】
2011078957.tif 000004
(57)【要約】【課題】本発明は、水蒸気蒸留抽出装置、製造に関し、一体構成に多重効用を備えた敷設を特徴とした蒸留装置及び製造方法を提供する。【解決手段】本課題は、地球温暖化の防止環境保全、安心、安全な自然エネルギー活用の海水淡水化の造水変換装置、植物の精油、蒸留水の分離装置は、蒸留システム開発による構造効率、コスト削減等の好ましい成形の一体構成装置及び製造方法。【選択図】なし【特許請求の範囲】
【請求項１】
本発明は、蒸気で成分を抽出し、冷却して蒸留水を得ることを特徴とした蒸留装置及び製造方法。
【請求項２】
上記の蒸気発生装置を円筒に製造し、精油と分離して得ることを特徴とした蒸留装置及び製造方法。
【請求項３】
請求項２に多重効用を備えた敷設を特徴とした蒸留装置及び製造方法。
【請求項４】
上記記載の装置及び製造方法において、好ましくは安価な熱エネルギー熱変換システム加熱効果の発揮できる対応敷設設計とした蒸留装置及び製造方法。
【請求項５】
蒸留装置及び製造方法において請求項１から４を含み、本発明の趣旨構造を逸脱しない範囲の変形や変更は本発明に含まれる。
【発明の詳細な説明】
【技術分野】
【０００１】本発明は、蒸留システムを構成し、冷却して精油と蒸留水を得る多重効用蒸留装置及び製造方法を提供する。【０００２】本発明は、多重効用を備えた敷設を特徴とした装置及び製造方法に関する。【０００３】本発明は、植物の葉や茎等から蒸留抽出装置及び製造方法に関する。
【背景技術】
【０００４】従来、精油には、各種薬効があり美容や料理またアロマテラピー等に各種の精油を抽出して用いる。【０００５】上記背景に精油は、わずかの採集しかとれないために高価となっている。価格が高値になり普及が困難になっている。【０００６】そのため、蒸留製造工程において、大量に生産可能な蒸留水製造原価がキーワード結び付き価格と、技術が要求されている。【０００７】好ましくは、安価なバイオマス燃料を効率良く熱エネルギーに転換する一体装置、製造で問題解決となる。【０００８】背景技術は、蒸留装置の配置及び製造システムの提案。
【発明の開示】
【発明が解決しようとする課題】
【０００９】上記の問題を鑑みて本発明の、多重効用蒸留装置海水の効率を最大限可能とし、性能、効果が発揮できるシステムによる安価な装置、製造システムを特徴とする。【００１０】本発明は、用途に応じた精油、蒸留水ができることを可能とし、対応に効率を高めた技術の提供によって問題解決が図られる。【００１１】本発明の装置、作業は容易とし、精油を採集する際に副産物として発生する大量の蒸留水を得ることを目的とした。
【課題を解決するための手段】
【００１２】本発明は、上記課題を達成するため、多量効用蒸留装置及び製造方法の向上に寄与する一体型システムを特徴とする。【００１３】本発明は、加熱と圧力による蒸留方法を用い、可能な限りの成分抽出することで課題を解決する。しかも、多重効用蒸留装置及び製造を可能とし、海水淡水化変換を最大限発揮でき、非常時の対応装置の提供にある。
【発明の効果】
【００１４】本発明による多重効用蒸留装置及び製造方法は、海水淡水化変換装置を高温、高圧の水蒸気で蒸留して抽出し、海水から分別された塩分を取り除くことにより、目的とする淡水を得ることができる。よって、従来の製造工程を短縮可能とすることで作業効率が高められることを特徴とする。【００１５】このように多重効用蒸留装置は、一体構成の作業が容易であり、従来の単一、複雑をなす作業を効率、効果的に発揮される。【００１６】本発明の特徴は，精油と蒸留水を分離して得る一体化構造システムを特徴とした。【００１７】本発明は、上記作業の安全性、作業効率の向上、量産の向上を図り、費用対効果の普及率と、経済的なシステム構築を特徴とする。
【発明を実施するための最良の形態】
【００１８】本発明の特徴及び利点は、一体構成による本実施形態に限定されるものではなく、要旨の逸脱しない範囲の変形や変更設計は本発明に含む。【００１９】上記実施形態については装置、移動移設を可能とする装置、効率、構造、溶接固定等、一体化構造範囲の設計製造を述べている。【００２０】請求項１から４記載の発明では、敷設の特徴と製造方法。【００２１】請求項５記載の本発明の構成方法は、集合配置による効率、効果、量産効果等、作業が安全に効率よくでき、製造の短縮ができ経済的であることを特徴とする。
【産業上の利用可能性】
【００２２】本発明の多重効用蒸留装置は蒸気で成分を抽出し、精油とシステムの設計と製造に関し、蒸留方法として構造の効率、コスト削減、簡易な構造で産業上に無駄がない。
(57)【要約】【課題】本発明は、海水淡水化を水蒸気蒸留抽出装置、製造に関し、一体構成による作業効率、安定供給、安価な海水、淡水化蒸留方法を提供する。【解決手段】本課題の海水淡水化の造水変換装置、製造は、現段階のコストが高値推移であることと、作業効率と作業負担がある。本発明の海水淡水化蒸留システム開発による構造効率、コスト削減等の好ましい形成による一体構成装置及び製造方法。【選択図】なし【特許請求の範囲】
【請求項１】
安価なバイオマスエネルギーを熱変換し、水蒸気蒸留装置のシステム設計とした海水淡水化装置及び製造方法。
【請求項２】
上記を円筒に構成し、水蒸気効率を取り入れ、造水変換による大量生産を特徴とした海水淡水化装置及び製造方法。
【請求項３】
請求項２に非常時、天災時備えた小型敷設を特徴とした海水淡水化装置及び製造方法。
【請求項４】
上記記載の装置及び製造方法において、好ましくは安価なバイオマスエネルギーの熱変換システムに他の加熱効果の発揮できる対応敷設設計とした海水淡水化装置及び製造方法。
【請求項５】
海水淡水化装置及び製造方法において請求項１から４を含み、本発明の趣旨構造を逸脱しない範囲の変形や変更は本発明に含まれる。
【発明の詳細な説明】
【技術分野】
【０００１】本発明は、蒸留システムを構成し、海水を淡水化する装置及び製造方法を提供する。【０００２】本発明は、自然界に発生している海水を安価な装置及び製造方法を用いた淡水化に関する。【０００３】本発明は、自然界の海水を水蒸気蒸留抽出装置、製造に関する。
【背景技術】
【０００４】従来、非常時において、海水淡水化の装置は、風力熱伝導摩擦熱による加熱構成をなす開発や太陽熱利用の単効率、多重効果の得られる開発がなされている。しかし発電量を高め、比表面積効果を高めセルの効率を高める必要がある。造水変換装置製造は、現段階のコストは高値で推移しており近い将来の普及を鑑みると安値傾向は困難であり、本発明の安定供給で安価な製造プロセスのタイミングにきている。【０００５】上記背景には、風力、太陽光の自然エネルギー活用は、単位面性に対しエネルギー密度の低さから大型の発電面積が求められている。よって、価格が高値になり普及が困難になっている。【０００６】そのため、蒸留製造工程において、製造原価がキーワード結び付き価格と、技術が要求されている。【０００７】好ましくは、安価なバイオマス燃料を効率良く熱エネルギーに転換する一体装置、製造で問題解決となる。【０００８】背景技術は、水蒸気蒸留装置の配置の進化による海水の淡水化システムの提案。
【発明の開示】
【発明が解決しようとする課題】
【０００９】上記の問題を鑑みて、本発明の、海水を淡水化する効率を最大限可能とし、対策が通年において性能、効果が発揮できるシステムによる安価な装置、製造システムを特徴とする。【００１０】本発明は、通年均一稼動ができることを可能とし、非常時対応に効率を高めた技術の提供によって問題解決が図られる。【００１１】本発明の装置、作業は容易とし、強風による被害、天災に影響されず安価に、海水を蒸留にし、淡水を得ることを目的とした。
【課題を解決するための手段】
【００１２】本発明は、上記課題を達成するため、通年稼動ができる海水淡水化蒸留の向上に寄与する一体型システムを特徴とする。【００１３】本発明は、バイオマス燃料によって加熱し、蒸留することで海水を大量に蒸発し、塩分凝固の増大を可能とすることで課題を解決する。しかも、小型装置を製造し、海水淡水化変換を最大限発揮でき、非常時の対応装置の提供にある。
【発明の効果】
【００１４】本発明による海水淡水化変換装置は、海水から分別された塩分を取り除くことにより、目的とする淡水を得ることができる。よって、従来の製造工程を短縮可能とすることで作業効率が高められる。【００１５】このように一体構成の作業が容易であり、従来の単一、複雑をなす作業を効率、効果的に発揮される。【００１６】本発明の特徴は，一体化構造システムの安価で非常時における対策の重視を特徴とした。【００１７】本発明は、上記作業の安全性、作業効率の向上、量産の向上を図り、費用対効果の普及率と、経済的なシステム構築を特徴とする。
【発明を実施するための最良の形態】
【００１８】本発明の特徴及び利点は、一体構成による本実施形態に限定されるものではなく、要旨の逸脱しない範囲の変形や変更設計は本発明に含む。【００１９】上記実施形態については、例えば、装置の取り付け角度調整装置、移動移設を可能とする装置。効率、構造、ボルト、溶接固定等、一体化構造範囲の設計製造を述べている。【００２０】請求項１から４記載の発明では、敷設の特徴と製造方法。【００２１】請求項５記載の本発明の構成方法は、集合配置による効率、効果、量産効果等、作業が安全に効率よくでき、製造の短縮ができ経済的であることを特徴とする。
【産業上の利用可能性】
【００２２】本発明は、非常時において、例えば海難救命、災害時対策としての海水淡水化蒸留システムの設計と製造に関し、蒸留方法として構造の効率、コスト削減、簡易な構造で、好ましく用いることができ産業上に無駄がない。【００２３】本発明は、再生可能なエネルギーの利用促進を図り、地球温暖化の防止、環境保全、安心、安全な自然エネルギー利活用を重視とした開発であり、その応用範囲は広い。
(57)【要約】      （修正有）【課題】ボールがスイートスポットにあたるように打つまでボールをよく見る習慣をつけ、ボールがスイートスポットにあたると音がなりあたりを確認でき、軽量、安価、取り付け取り外しが容易、様々な形や素材や大きさにより難易度を調節できるスイートスポットにあたると音が鳴る練習用品を提供する。【解決手段】型（１）の内部の中央に笛（２）を設け、その型（１）に容易に取り付け取り外しのできるもの（３）を設けたスイートスポットにあたると音が鳴る練習用品を特徴とする。【選択図】図１
2011078507.tif 000002
【特許請求の範囲】
【請求項１】
型（１）の内部の中央に笛（２）を設け、その型（１）に容易に取り付け取り外しのできるもの（３）を設けたスイートスポットにあたると音が鳴る練習用品。
【発明の詳細な説明】
【技術分野】
【０００１】
本発明は、練習用具のスイートスポットに音が鳴る練習用品を取り付け、その練習用品の中心にあたると音が鳴るスイートスポットにあたると音が鳴る練習用品に関するものである。
【背景技術】
【０００２】
従来、ボールを打ち返す練習用具は、ボールがついたゴムをラケットに固定するセルフボールや、地面に置いたおもりにつながっているゴムについているボールや、地面に置いた土台に長いばねをつけその先にボールを取り付けた用具があった。
【発明の概要】
【発明が解決しようとする課題】
【０００３】
ボールをスイートスポットにあてる練習用具には、次のような欠点があった。
（イ）ボールについているゴムをラケットに固定してそのボールを打つセルフボールは、生きたボールでの練習ができず、ゴムが短いためボールが戻ってくるのも早く、手の動かし方を一定にするだけで連続打ててしまう。
（ロ）生きたボールを打っていても確実にスイートスポットにあたったかの確認ができない。
（ハ）地面に置いた土台に長いばねをつけその先にボールを取り付けた用具には、スイートスポットの確認をしながらラケットを振ることはできるが、生きたボールでの練習は出来ず、ボールがバネに固定されているため打ったボールがどのように飛ぶかの確認も出来ず、足の位置も固定したままの動作練習となる。
また、価格も高価なものであった。
本発明は、以上のような欠点をなくすためになされたものである。
【課題を解決するための手段】
【０００４】
型（１）の内部の中央に笛（２）を設け、その型（１）に容易に取り付け取り外しのできるもの（３）を設ける。本発明は、以上の構成よりなるスイートスポットにあたると音が鳴る練習用品である。
【発明の効果】
【０００５】
一人ででも、ボールがスイートスポットにあたったかをその都度音により確認できる。
音を聞く楽しみと、サイズや形を変えることにより、初心者、中級者、上級者のレベルに合わせて楽しめるため、チャレンジ精神の促進と技術の上達も期待できる。
スイートスポットにあたらないと音が鳴らないため、スイートスポットにあたるように打つまでボール見る必要があり、ボールを打つまで見る習慣をつける。
軽量で取り付け取り外しも簡単で、持ち運びにも便利で、どこででも気軽に練習ができる結果、スイートスポットへの意識を高めることができる。
【図面の簡単な説明】
【０００６】
【図１】本発明の分解斜視図である。
【図２】本発明の斜視図である。
【発明を実施するための形態】
【０００７】
以下、本発明の実施の形態を図1と図２に基づいて説明する。
弾力性のあるゴム製の型（１）の内部の中央に押し笛（２）を設ける。その型（１）の下部分に容易に取り付け取り外しのできるもの（３）を設ける。
【実施例】
【０００８】
弾力性のあるゴム製の型（１）の内部の中央に押し笛（２）を設けた練習用品の下部分にマジックテープ（登録商標）を設け、それをラケットのスイートスポットに固定し、ボールがスイートスポットにあたった時のみ練習用品から音が鳴るため、スイートスポットにあたったかの確認がその都度できる。
音が鳴ることにより、スイートスポットへの意識を高めさせ、毎回あてようという思いからあたるまでボールを見る習慣もつく。ゴム製の型（１）、押し笛（２）、マジックテープ（登録商標）の使用のため、軽量、安価、取り付け取り外しが容易である。
【産業上の利用可能性】
【０００９】
本発明は、世界各国共通してスイートスポットにあてる練習が必要なスポーツの上達に役立つ。
また、小さい子供〜お年寄りまで、娯楽としての利用もできる。
サイズや形を変えることにより容易度や難易度が変更できる。
軽量、安価、取り付け取り外しが容易なので世界各国でも幅広い層の利用が期待できる。
大会の景品、クラブ活動などの基本練習時の使用、プレゼント、音が鳴る飾りとしての利用など様々な可能性がある。
【符号の説明】
【００１０】
１  型
２  押し笛
３  容易に取り付け取り外しできるもの
【図１】
2011078507.tif 000003
【図２】
2011078507.tif 000004
(57)【要約】【課題】家庭、オフィス等での、配線を束ねるためのカバーの着脱を簡単にすること、スポット的にカバーできること、同方向ではない飛び出しの配線に対応すること、屈曲可能、ジョイント式にして長さを自由に変え、配線レイアウトの移動に簡単に対応できる点にあり、その結果、目隠しとなり、美観を備え、また、埃をよけることである。【解決手段】  本発明は、短い筒状の一辺を切り開き、その一辺に留め具をつけて開け閉め可能にした。また、短い筒状の両端にも、その短い筒状のもの同士を繋ぐことが可能な凹凸をつけ、ジョイント可能にした。また、その短い筒状の胴体の一部分を蛇腹とし、形状の変化を可能にすることで、部屋の形や個々の形状に沿わせることを可能にした。また、同方向にまとまらない配線が飛び出すことが可能なように、筒状の一面に切れ込みを配置した。両面テープ等で、柱や机に固定することも可能である。【選択図】図１
2011078257.tif 000002
【特許請求の範囲】
【請求項１】
短い筒状の一辺を切り開き、その一辺に留め具をつけて開け閉め可能にし、その短い筒状の両端に、その短い筒状のもの同士を繋ぐことが可能な凹凸をつけ、接続可能にした、その短い筒状の胴体の一部分を蛇腹とし、形状の変化を可能にした、配線カバー。
【請求項２】
請求項１の配線カバーに、同方向にまとまらない配線が飛び出すことが可能な切れ込みを筒状の一面に配置した、配線カバー。
【発明の詳細な説明】
【技術分野】
【０００１】
家庭やオフィス等での配線整理、保護のための、開閉可能で、相互にジョイント式の屈曲可能な配線カバーに関するものである。
【背景技術】
【０００２】
従来の配線カバーは、建物に帰属するかまたは貼り付ける等のものが多く、また、スポット的にカバーするものではないため、室内の配線を変えた場合、配線レイアウトの移動が煩雑であるという問題があった。
また、家庭でもオフィスでも、電気機器の配線は多岐にわたり、何重にもなっているため、既存の配線カバーでは、容量を超えてしまい対応できない場合も出てくる。
家庭のテレビの背面、または、オフィスの机の裏側の個人と他者との配線の混じるところでは、個々に対応可能な形での、配線をカバーするパーツが無く、まとめる、埃よけ、目隠しが困難であった。
開閉、屈曲可能でジョイント式の長さを自由に変えることの出来る安価で軽量な配線カバーは無かった。
【先行技術文献】
【特許文献】
【０００３】
【特許文献１】特開平１０−６８５３６号公報
【特許文献２】特開２００９−１５０４３３号公報
【発明の概要】
【発明が解決しようとする課題】
【０００４】
解決しようとする問題点は、家庭、オフィス等での、配線を束ねるためのカバーの着脱を簡単にすること、スポット的にカバーできること、同方向ではない飛び出しの配線に対応すること、屈曲可能、ジョイント式にして長さと形を自由に変え、配線レイアウトの移動に簡単に対応できる点にあり、その結果、目隠しとなり、美観を備え、また、埃をよけることである。
【課題を解決するための手段】
【０００５】
本発明は、短い筒状のカバーで、短い筒状の一辺を切り開き、その一辺に留め具をつけて自由に開け閉め可能にした。
また、その短い筒状の胴体の一部分を蛇腹にし、形状の変化を可能にすることで、部屋の形や個々の形状に沿わせることを可能にした。
また、その短い筒状のもの同士を繋ぐことができるように、筒状のものの両端に凹凸をつけ、接続可能にした
また、一面に切れ込みをいれ、同方向ではない配線の飛び出しにも対応した。
両面テープ等で、柱・机等へ固定することも可能である。
【発明の効果】
【０００６】
現状ではオフィスでは、机位置等の移動の度に個人と他者との延長コートまでの配線が混乱し、煩雑であったが、本発明のかんたん配線カバーでは、スポット的に配線をまとめ、屈曲可能、着脱可能であり、長さを自由に変えることにより、配線レイアウトの移動が簡単になる。家庭でも、室内のレイアウトの変化に伴い、配線レイアウトの移動が簡単である。
また、このかんたん配線カバーは開閉可能であるため、既存の配線にカバーを後付することが可能である。配線カバーの容量は多数の大きさが提供できるが、長くなりあまった配線を折り込んで収納することも可能である。
オフィス・家庭等での、簡単に、配線を束ねる、埃をよける、目隠しにより美観を備えることが可能な、軽量な配線カバーを安価で提供することが可能になった。
【図面の簡単な説明】
【０００７】
【図１】図１はかんたん配線カバーの斜視図である。
【図２】図２はかんたん配線カバーを開けたときの斜視図である。
【図３】図３はかんたん配線カバーの一面で、配線が飛び出すための切れ込みを入れた面の図である。
【図４】図４はかんたん配線カバーの使用例の一例である。（実施例１）
【発明を実施するための形態】
【０００８】
本発明は、短い筒状の一辺を切り開き、その一辺に留め具をつけて開け閉め可能にした。また、短い筒状の両端にも、その短い筒状のもの同士を繋ぐことが可能な凹凸をつけ、接続可能にした。
また、その短い筒状の胴体の一部分を蛇腹とし、形状の変化を可能にすることで、部屋の形や個々の配線レイアウトに沿わせることを可能にした。
また、同方向にまとまらない配線が飛び出すことが可能なように、筒状の一面に切れ込みを配置した。
形は、筒状であること、材質は、プラスチック・ゴム・ビニール・紙等で、多数の、筒状の形・大きさ・材質で提供することが可能である。
【実施例１】
【０００９】
図４は、家庭のテレビとテレビ台の背面の一般的な配線の一例である。
【００１０】
テレビとテレビ台の背面図で、テレビの電気コードは単独でコンセントに挿し、そのほかの電気コードはＯＡタップにて中継している。
かんたん配線カバーを単独で使用した場合と、  かんたん配線カバーをジョイントし形状を変え、同方向にまとまらない配線の飛び出しにも対応し、テレビ台の後ろに両面テープで貼り付けた場合の図である。  
【符号の説明】
【００１１】
１    かんたん配線カバー
２    留具
３    蛇腹
４    かんたん配線カバーの端の一端が、別のかんたん配線カバーの一端と接続可能な、筒状のもの同士を接続するための凹凸である
５    切れ込み
６    テレビの背面
７    テレビ台の背面
８    コンセント
９    ＯＡタップにビデオ等の電気コードを差し込んだ様子
【図１】
2011078257.tif 000003
【図２】
2011078257.tif 000004
【図３】
2011078257.tif 000005
【図４】
2011078257.tif 000006
(57)【要約】【課題】  西瓜果実抽出液を短時間低温で減圧濃縮し、空中雑菌が混入しない、長期保存に耐える製品が得られる。【解決手段】  西瓜果実に天然水を加え加熱し、自然濾過し、ロータリーエバポレーター、ネオクールサーキュレーター、トラップ、真空計、ダイアフラム型真空ポンプを装置し、温度６０℃から６９℃で、減圧度１８０ｍｍＨｇから２５０ｍｍＨｇ、短時間で減圧濃縮することである。【選択図】なし【特許請求の範囲】
【請求項１】
細切した西瓜果実に約３０％の天然水を加えて、６０分〜８０分加熱放冷し、木綿布を用いて自然濾過し、淡黄色透明液を得ること。
【請求項２】
請求項１で得られた淡黄色透明液をロータリーエボポレーターに入れ、これをネオクールサーキュレーターに接続し、更に真空計とダイアフラム型真空ポンプを装置し、低温で減圧濃縮すること。
【請求項３】
請求項２の製造条件としては、水浴温度は６０℃から６５℃で減圧度は２２０ｍｍＨｇから２５０ｍｍＨｇで初期量の約半量迄濃縮し、比重１．１７から１．２０の低粘稠液を得る。この中間体は減圧濃縮の為、無菌状態となり３ヶ月以上の冷蔵保存に耐えること。
【請求項４】
請求項３の中間体より目的の琥珀西瓜糖を得るには、水浴温度を６５℃から６８℃で、減圧度は１８０ｍｍＨｇから２００ｍｍＨｇで濃縮して、比重１．３５から１．４５の淡褐色（琥珀色）透明で高粘度の目的物を得ること。
【請求項５】
請求項４で得られた琥珀西瓜糖は従来法で得た西瓜等より、淡褐色透明で、長期保存に耐える利点があること。
【発明の詳細な説明】
【発明の詳細な説明】
【技術分野】
【０００１】  本発明は、西瓜果実抽出液を短時間低温で減圧濃縮、製造方法に関する。
【背景技術】
【０００２】  従来の西瓜糖は、常圧、直火で濃縮する為、濃褐色で特異臭があり長期保存に耐えない欠点がある。
【発明が解決しようとする課題】
【０００３】  従来の製造方法は西瓜の果実を圧縮濾過し、大型鍋などに入れ、常圧、直火で濃縮する為、濃縮途中に発泡し灰汁が析出しこれを除去しながら濃縮する為、長時間を要し、空中雑菌等が混入し、酸化が進み濃褐色粘稠物となり長期保存に耐えない、という問題点があった。
【０００４】  本発明は、西瓜果実を細切りにし、これに３０％の天然水を加え６０分から９０分加熱、放冷し木綿布を用いて自然濾過し、得られた黄色透明液をロータリーエバポレーターで低温度６０℃から６９℃、減圧度１８０ｍｍＨｇから２５０ｍｍＨｇで短時間で減圧濃縮することである。
【実施例】
【０００５】  西瓜果実１０００ｇを細切りしたものに３００ｍｌの天然水を加える。この天然水を加えることにより西瓜成分の抽出を容易にすることが出来る為であり、抽出後６０分〜８０分加熱を続ける。加熱中に多少の発泡と灰汁が析出する為、これを除去、放冷後、木綿布製の袋に入れ上部を閉じ、スタンドに吊るし自然濾過し、淡黄色透明液、比重１．０５〜１．０７、１０００ｍｌを得る。この抽出液を２０００ｍｌのナス型コルベンに入れ、ロータリーエバポレーターに接続する。ロータリーエバポレーターの冷却器にはネオクールサーキュレーターを接続し冷却水を循環させ、ロータリーエバポレーターの吸引部には、トラップ、真空計、ダイアフラム型真空ポンプの順に各機器を装置し減圧濃縮する。減圧濃縮の条件としては、ネオクールサーキュレーターの水温は１０℃に設定し、ロータリーエバポレーターの水浴温度は初め６０℃に設定し、水分の留出を見ながら徐々に温度を上げ６５℃とし、減圧度は初め２５０ｍｍＨｇで２２０ｍｍＨｇまで調整し、３０分で４００ｍｌから４１０ｍｌの水を回収し、比重１．１７から１．２０の低粘稠黄色透明液５８０ｍｌから６００ｍｌを得る。この濃宿液は変質せず長期冷蔵保存に耐える為中間体とし、第２原料とする。これを更に濃縮するために、比重１．１７の黄色透明液６００ｍｌを水浴温度を６５℃から６８℃で、減圧度を１８０ｍｍＨｇまで圧力を下げ濃縮を続けると、約４０分から４５分で高粘度淡褐色透明液、比重１．４０の琥珀西瓜糖４５０ｇが得られた。
【発明の効果】
【０００６】  従来法では西瓜果実を圧縮濾過する為、渥が出て発泡、灰汁の析出が多く着色の原因となり、常圧濃縮の為、空中雑菌が混入し、濃縮に長時間を有し濃褐色で混濁し透明な製品には得られず長期保存に耐えない。本発明は初期に水を加えて抽出する為、抽出効果が大きく、成分確保が出来、抽出液は自然濾過することにより透明な液が得られる利点がある。又、比重測定により製品が一定化し産地等によるばらつきがない。
(57)【要約】【課題】水溶性成分含有物質組成の有効成分を抽出する方法及び製造を提供する。【解決手段】本発明は、水溶性被抽出原料を浸透性のある袋状に入れ、それを電気分解水中に入れる事の効果で、濾過作用が働き、抽出物が効率良く製造することを特徴とする。【選択図】なし【特許請求の範囲】
【請求項１】
被抽出物素材を透水性のある袋状に入れ電気分解水に２週間浸漬することにより、電気解解水に被抽出物の成分が濾過抽出を得ることを特徴とする。
【請求項２】
被抽出物成分組成抽出を食料、飲料品の融合性に優れて得たことを特徴とする。
【請求項３】
請求項２に請求項１の単独で用いても良く、また２種以上の被抽出物素材混合によって成分組成を得ることを特徴とする。
【請求項４】
請求項３において好ましくは電気分解水を用いると良いが、水道水、天然水、ミネラル水、酸化還元水、活性水、製氷水、超微粒子水等あげられるが用途に応じて用いると良く、これ等に限られるものでもなく、想定内、同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、被抽出物質から得られる含有物質の成分組成を抽出する製造に関するものである。【０００２】電気分解水によるｐＨ調整化合物の成分組成を大量生産が可能なことから、産業開発において期待できる。【０００３】被抽出物質の成分組成を、液体物質、固体物質、顆粒物質、粉末物質との配合組成の、利便性に関するものである。
【背景技術】
【０００４】成分物質については，公知とされている。しかし、被抽出物質の性状対策に汎用性がないままが実態である。成分物質を、液体物質、固体物質、顆粒物質、粉末物質等の汎用を視野に入れ、配合組成を積極的に追求でき得る技術を提供する。
【発明の開示】
【発明が解決しようとする課題】
【０００５】前記従来、配合組成、機能は類似していることから、液体物質は、液体のまま固形物質は固形のままに用いられ要しているが、本発明の、成分抽出製造は、液体物質、固体物質、顆粒物質、粉末物質を容易にし、しかも、複合効果を図った加工抽出は、容易に確実に効果が得られる。【０００６】本発明は、このような実状に鑑みなされたものであり、成分物質は水溶性成分を含有していることから電気分解水を用いたｐＨ調整可能とする被抽出物質含有成分を他との配合組成でその提供を目的とする。
【課題を解決するための手段】
【０００７】課題を解決するため、被抽出物質を電気分解水でｐＨ調整可能とした本発明技術は、浸透性の装置に被抽出物を封入することで濾過、抽出効果の有効成分の液体物質，固体物質、顆粒物質、粉末物質薬効成分、組成を対象多物質質構造に汎用活用を図ったことによる、好ましい選択の合理的構成が得られ、この発明に到達した。
【発明の効果】
【０００８】以上のように、本発明技術は、有効成分を無駄なく発揮され、融合性に優れ、汎用され、産業への期待は大きい。【０００９】この発明は、原料となるものを浸透性のある袋状にいれ、それを水中に入れ成分が濾過され、抽出物として、効率が良く製造されることを特徴とする。【００１０】天然素材の有用な物質は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、有効成分組成を濾過、抽出することを特徴とする。例えば、前述の被抽出物質を透水性の良い袋状に入れ、電気分解水のｐＨ調整液体物質に２週間ほどの日数浸漬ことで成果を得た。固体物質、顆粒物質、粉末物質薬効成分組成加工を図ることの汎用性。つまり、選択による好ましい効果が得られる。【００１２】上記技術でもって、有効物質の含有する成分を効率よく抽出できる。成分を多く含む効果を得ることができる。前述の好ましくは電気分解水を用いるのが良いが、水道水、天然水、ミネラル水、酸化還元水、活性水、製氷水、超微粒子水等の用いることに限るものではない。発明趣旨を逸脱しない範囲の変更は、本発明に含まれることを特徴とした。
【産業上の利用可能性】
【００１３】本発明の、成分組成の抽出する方法及び製造方法は、天然素材加工技術によることを特徴としている。【００１４】上記、地域の天然資源を活用することで産業上の利用可能性を有する。